Podtech/llm-jp-corpus-v4-ja_patent huggingface dataset:
【手続補正書】
【提出日】平成20年1月29日(2008.1.29)
【手続補正１】
【補正対象書類名】特許請求の範囲
【補正対象項目名】請求項１
【補正方法】変更
【補正の内容】
【請求項１】
撮像素子を有し、前記撮像素子の撮像面の面方向を維持させたまま、光軸方向に移動させることが可能な可動部と、
前記可動部に設けられ、前記撮像素子周辺の熱を輻射によって逃がすための輻射部とを設けたことを特徴とする撮像素子駆動装置。
【手続補正２】
【補正対象書類名】明細書
【補正対象項目名】０００８
【補正方法】変更
【補正の内容】
【０００８】
本発明の撮像素子駆動装置は、撮像素子を有し、撮像素子の撮像面の面方向を維持させたまま、光軸方向に移動させることが可能な可動部と、可動部に設けられ、撮像素子周辺の熱を輻射によって逃がすための輻射部とを設けたことを特徴としている。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
第１筐体部と、前記第１筐体部に接続された第２筐体部とを有する無線通信端末であって、
前記第１筐体部に搭載され、前記第２筐体部へ信号を無線送信する内部無線送信部と、
前記第２筐体部に搭載され、放送の信号を受信する放送受信処理及び前記内部無線送信部にて送信された信号を受信する内部無線受信処理を行う放送受信部とを有することを特徴とする無線通信端末。
【請求項２】
前記内部無線送信部にて送信される信号の搬送波周波数が、前記放送受信部にて受信される放送の空きチャンネルの周波数となるように、前記内部無線送信部を制御する周波数制御部を有することを特徴とする請求項１に記載の無線通信端末。
【請求項３】
前記放送受信部にて受信される放送の信号はＯＦＤＭ信号であり、
前記内部無線送信部にて送信される信号はＯＦＤＭ信号であることを特徴とする請求項１または２に記載の無線通信端末。
【請求項４】
前記内部無線送信部にて送信される信号に割り当てられるセグメントが、前記放送受信部にて受信される放送と同一チャンネルの空きセグメントとなるように、前記内部無線送信部を制御するセグメント制御部を有することを特徴とする請求項３に記載の無線通信端末。
【請求項５】
前記第１筐体部または前記第２筐体部に搭載され、前記無線通信端末とは別体の装置と無線通信を行う外部無線通信部と、
前記第２筐体部に搭載され、前記第１筐体部へ信号を無線送信する第２内部無線送信部と、
前記第１筐体部に搭載され、前記第２内部無線送信部にて送信された信号を受信する内部無線受信部とを有し、
前記第１筐体部と前記第２筐体部とは、前記第１筐体部と前記第２筐体部との間の相対的な位置関係を変更可能に接続され、
前記無線通信端末は携帯電話であることを特徴とする請求項１乃至４のいずれか１項に記載の無線通信端末。
【請求項６】
前記内部無線は、微弱無線またはＵＷＢ無線であることを特徴とする請求項１乃至５のいずれか１項に記載の無線通信端末。
【請求項７】
前記放送は地上デジタル放送であることを特徴とする請求項１乃至６のいずれか１項に記載の無線通信端末。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
原稿から原画像を読み取るための複数個の読み取り素子が主走査方向に沿って１列に並べられたラインセンサを有する線形読み取り手段と、
前記線形読み取り手段と一体化され前記原稿にマーク用の光を照射するためのマーク用光源と、
前記原稿に対する前記線形読み取り手段と前記マーク用光源との相対位置を前記主走査方向に垂直な副走査方向に沿って移動させる移動手段と、
前記原稿・前記マーク用光源間に介在し、補正用画像を投射により前記原稿に付加させる補正用画像付加手段と、
読み取られた原画像において前記移動手段の移動速度のばらつきに基づく歪みを前記補正用画像を用いて補正する補正手段と
を備える画像読み取り装置。
【請求項２】
請求項１に記載の画像読み取り装置であって、
前記補正用画像付加手段は、前記光の経路を遮断あるいは変更することにより前記補正用画像を前記原稿に付加させる
画像読み取り装置。
【請求項３】
請求項１又は請求項２に記載の画像読み取り装置であって、
前記線形読み取り手段および前記マーク用光源ならびに前記補正用画像付加手段は前記原稿の表面側に配置される
画像読み取り装置。
【請求項４】
請求項１又は請求項２に記載の画像読み取り装置であって、
前記線形読み取り手段は前記原稿の表面側に配置され前記マーク用光源および前記補正用画像付加手段は前記原稿の裏面側に配置される
画像読み取り装置。
【請求項５】
請求項１乃至請求項４のいずれかに記載の画像読み取り装置であって、
前記移動手段は、前記線形読み取り手段を前記副走査方向に沿って移動させるためのステージおよび前記ステージを駆動するためのモータを有する
画像読み取り装置。
【請求項６】
請求項１乃至請求項４のいずれかに記載の画像読み取り装置であって、
前記移動手段は、前記原稿を前記副走査方向に沿って移動させるためのドラムおよび前記ドラムを回転させるためのモータを有する
画像読み取り装置。
【請求項７】
請求項６に記載の画像読み取り装置であって、
前記補正用画像付加手段は、環状に配置され前記ドラムと一体に動作する
画像読み取り装置。
【請求項８】
請求項１乃至請求項７のいずれかに記載の画像読み取り装置であって、
前記光に代えて粒子を用い、前記マーク用光源に代えてマーク用粒子照射源を用いる
画像読み取り装置。
【手続補正２】
【補正対象書類名】明細書
【補正対象項目名】０００８
【補正方法】変更
【補正の内容】
【０００８】
本発明に係る画像読み取り装置は、原稿から原画像を読み取るための複数個の読み取り素子が主走査方向に沿って１列に並べられたラインセンサを有する線形読み取り手段と、線形読み取り手段と一体化され原稿にマーク用の光を照射するためのマーク用光源と、原稿に対する線形読み取り手段とマーク用光源との相対位置を主走査方向に垂直な副走査方向に沿って移動させる移動手段と、原稿・マーク用光源間に介在し、補正用画像を投射により原稿に付加させる補正用画像付加手段と、読み取られた原画像において移動手段の移動速度のばらつきに基づく歪みを補正用画像を用いて補正する補正手段とを備える。
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
複数枚の基板を保持した基板保持体を収容して複数枚の基板を処理する処理室と、前記処理室周りに設置されて前記基板を加熱するヒータユニットと、  
前記処理室内に収容された前記基板保持体の基板保持領域よりも高い位置に噴出口が位置するように配置されており、この噴出口が前記処理室の天井に向けて冷却ガスを流すように開口されている冷却ガス供給手段と、  
この冷却ガス供給手段と前記基板を挟んで対向する位置に、前記処理室内に収容された少なくとも前記ボートの基板載置領域に噴出孔が位置するように配置されており、この噴出孔は前記基板の主面に対して水平方向に冷却ガスを流すように開口されている冷却ガス供給具と、前記処理室の下部に配置された排気口によって前記処理室を排気する排気手段と、  
を備えていることを特徴とする基板処理装置。  
【請求項２】
処理室内に複数枚の基板を保持した基板保持体を収容して前記処理室周りに設置されたヒータユニットで前記基板を加熱する工程と、前記基板保持体の基板保持領域よりも高い位置に噴出口が位置するように配置されている冷却ガス供給手段の噴出口から前記処理室の天井に向けて冷却ガスを流し、この冷却ガス供給手段と前記基板を挟んで対向する位置に、前記処理室内に収容された少なくとも前記ボートの基板載置領域に噴出孔が位置するように配置されている冷却ガス供給具の噴出孔から前記基板の主面に対して水平方向に冷却ガスを流し、前記処理室の下部に配置された排気口によって前記処理室を排気する工程と、
を有することを特徴とするＩＣの製造方法。
【手続補正書】
【提出日】平成20年5月2日(2008.5.2)
【手続補正１】
【補正対象書類名】明細書
【補正対象項目名】００４０
【補正方法】変更
【補正の内容】
【００４０】
そこで、モータ１９が回転し、プーリ２０によりスピンドル２２が回転し、これによって砥石１５が矢印Ｇ方向に、即ち砥石１５による研削がダウンカットとなるように、高速（例えば３０００ｒｐｍ程度）で回転を開始する。このとき冷却水噴射ノズル２４から冷却水２３が砥石１５と貼合せワーク２との研削面８に噴射される。
砥石１５の位置を固定した場合には、ワーク取付け台４が矢印Ｃの方向に移動して図６に示すように、外周エッジ部１ａが砥石１５の真下に来るように接近させ、更に矢印Ｅの如く上昇して、外周エッジ部１ａが砥石１５に接触すると同時に段差加工の研削が開始される。そして図８に示すように、砥石１５の切込みを次第に増して、シリコンウェーハ１Ａの外周エッジ部１ａのみを砥石１５の外周の形状に合わせて円弧状に薄く段差加工して行く。またワーク取付け台４の回転を除く動作を固定した場合には、砥石１５の方が矢印Ｉの如く移動すると共に、矢印Ｋの如く下降して砥石１５が貼合せワーク２に接触する。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
トランジスタのベースと接地との間に水晶振動子が接続され、前記ベースと前記接地との間に第１及び第２の容量を直列接続した回路が接続され、前記トランジスタのエミッタと前記接地との間に第１の抵抗が接続され、前記第１及び第２の容量の中点と前記エミッタとの間に周波数選択素子が接続された圧電発振器において、
前記周波数選択素子に電界効果トランジスタのドレイン及びソースを並列接続し、前記電界効果トランジスタのゲートと前記接地間に第２の抵抗を接続し、前記ゲート−電源間に第３の容量を接続して構成したことを特徴とする圧電発振器。
【請求項２】
前記電界効果トランジスタがＮチャネル電界効果トランジスタであり、前記ソースを前記第１及び第２の容量の中点に接続して構成したことを特徴とする請求項１に記載の圧電発振器。
【請求項３】
前記周波数選択素子に水晶振動子を用いたことを特徴とする請求項１または２に記載の圧電発振器。
【手続補正２】
【補正対象書類名】明細書
【補正対象項目名】０００７
【補正方法】変更
【補正の内容】
【０００７】
本発明の圧電発振器は、発振を確実にすると共に位相雑音を改善するため、第１の発明は、トランジスタのベースと接地との間に水晶振動子が接続され、前記ベースと前記接地との間に第１及び第２の容量を直列接続した回路が接続され、前記トランジスタのエミッタと前記接地との間に第１の抵抗が接続され、前記第１及び第２の容量の中点と前記エミッタとの間に周波数選択素子が接続された圧電発振器において、  前記周波数選択素子に電界効果トランジスタのドレイン及びソースを並列接続し、前記電界効果トランジスタのゲートと前記接地間に第２の抵抗を接続し、前記ゲート−電源間に第３の容量を接続して構成したことを特徴とする。
第２の発明は、前記電界効果トランジスタがＮチャネル電界効果トランジスタであり、前記ソースを前記第１及び第２の容量の中点に接続して構成したことを特徴とする圧電発振器である。
第３の発明は、前記選択素子に水晶振動子を用いたことを特徴とする圧電発振器である。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
撮像装置から得られた画像を表示手段に表示するネットワークカメラシステムの端末装置であって、
前記撮像装置の周辺での状況変化を検知する検知手段により検知された状況変化が発生した方向を取得する取得手段と、
前記取得手段によって取得された前記状況変化の発生方向に対応して、前記撮像装置から得られる画像上の、前記取得手段によって取得された前記状況変化の発生方向に対応する位置に前記状況変化の発生を示すアイコン又は画像を表示させる制御手段とを有することを特徴とするネットワークカメラシステムの端末装置。
【請求項２】
前記制御手段は、予め前記撮像装置で撮影可能な領域を撮影して保存しておいた画像から状況変化の発生領域を切り出した画像を表示させることを特徴とする請求項１に記載のネットワークカメラシステムの端末装置。
【請求項３】
前記制御手段は、前記撮像装置のパン及びチルトの稼動範囲及び現在値を示すスクロールバーを表示させるとともに、状況変化の発生領域に相当する前記スクロールバーの箇所に前記アイコン又は前記画像を表示させることを特徴とする請求項１に記載のネットワークカメラシステムの端末装置。
【請求項４】
ネットワークを介して撮像装置で撮影した画像を端末装置に表示するネットワークカメラシステムの制御方法であって、
検知手段により前記撮像装置の周辺での状況変化の発生を検知する検知ステップと、
前記検知手段により検知された状況変化の発生方向を取得する取得ステップと、
前記取得ステップにおいて取得された前記状況変化の発生方向に対応して、前記撮像装置から得られる画像上の、前記取得ステップにおいて取得された前記状況変化の発生方向に対応する位置に前記状況変化の発生を示すアイコン又は画像を表示させる制御ステップとを有することを特徴とするネットワークカメラシステムの制御方法。
【請求項５】
ネットワークを介して撮像装置で撮影した画像を表示する端末装置の制御方法をコンピュータに実行させるプログラムであって、
検知手段により検知された状況変化の発生方向を取得する取得ステップと、
前記取得ステップにおいて取得された前記撮像装置の周辺での状況変化の発生方向に対応して、前記撮像装置から得られる画像上の、前記取得ステップにおいて取得された前記状況変化の発生方向に対応する位置に前記状況変化の発生を示すアイコン又は画像を表示させる制御ステップとをコンピュータに実行させるためのプログラム。
【請求項６】
ネットワークを介して撮像装置で撮影した画像を表示する端末装置の制御方法をコンピュータに実行させるプログラムであって、
検知手段により検知された状況変化の発生方向を取得する取得ステップと、
前記撮像装置のパン及びチルトの稼動範囲及び現在値を示すスクロールバーを表示させるとともに、前記取得ステップにおいて取得された前記撮像装置の周辺での状況変化の発生方向に相当する前記スクロールバーの箇所に、前記状況変化の発生を示すアイコン又は画像を表示させる制御ステップとをコンピュータに実行させるためのプログラム。
【手続補正２】
【補正対象書類名】明細書
【補正対象項目名】発明の名称
【補正方法】変更
【補正の内容】
【発明の名称】ネットワークカメラシステムの端末装置、ネットワークカメラシステムの制御方法及びプログラム
【手続補正３】
【補正対象書類名】明細書
【補正対象項目名】０００１
【補正方法】変更
【補正の内容】
【０００１】
本発明は、撮像装置で撮影した画像をネットワークを介して端末装置に表示するとともに、端末装置からネットワークを介して撮像装置を制御することのできるネットワークカメラシステムの端末装置、ネットワークカメラシステムの制御方法及びプログラムに関する。
【手続補正４】
【補正対象書類名】明細書
【補正対象項目名】０００９
【補正方法】変更
【補正の内容】
【０００９】
本発明によるネットワークカメラシステムの端末装置は、撮像装置から得られた画像を表示手段に表示するネットワークカメラシステムの端末装置であって、前記撮像装置の周辺での状況変化を検知する検知手段により検知された状況変化が発生した方向を取得する取得手段と、前記取得手段によって取得された前記状況変化の発生方向に対応して、前記撮像装置から得られる画像上の、前記取得手段によって取得された前記状況変化の発生方向に対応する位置に前記状況変化の発生を示すアイコン又は画像を表示させる制御手段とを有することを特徴とする。
本発明によるネットワークカメラシステムの制御方法は、ネットワークを介して撮像装置で撮影した画像を端末装置に表示するネットワークカメラシステムの制御方法であって、検知手段により前記撮像装置の周辺での状況変化の発生を検知する検知ステップと、前記検知手段により検知された状況変化の発生方向を取得する取得ステップと、前記取得ステップにおいて取得された前記状況変化の発生方向に対応して、前記撮像装置から得られる画像上の、前記取得ステップにおいて取得された前記状況変化の発生方向に対応する位置に前記状況変化の発生を示すアイコン又は画像を表示させる制御ステップとを有することを特徴とする。
本発明によるプログラムは、ネットワークを介して撮像装置で撮影した画像を表示する端末装置の制御方法をコンピュータに実行させるプログラムであって、検知手段により検知された状況変化の発生方向を取得する取得ステップと、前記取得ステップにおいて取得された前記撮像装置の周辺での状況変化の発生方向に対応して、前記撮像装置から得られる画像上の、前記取得ステップにおいて取得された前記状況変化の発生方向に対応する位置に前記状況変化の発生を示すアイコン又は画像を表示させる制御ステップとをコンピュータに実行させる。
本発明による別のプログラムは、ネットワークを介して撮像装置で撮影した画像を表示する端末装置の制御方法をコンピュータに実行させるプログラムであって、検知手段により検知された状況変化の発生方向を取得する取得ステップと、前記撮像装置のパン及びチルトの稼動範囲及び現在値を示すスクロールバーを表示させるとともに、前記取得ステップにおいて取得された前記撮像装置の周辺での状況変化の発生方向に相当する前記スクロールバーの箇所に、前記状況変化の発生を示すアイコン又は画像を表示させる制御ステップとをコンピュータに実行させる。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
ネットワークを介してコンテンツを通信先の機器に配信する場合に、ユーザが複数のコンテンツと複数の通信先からそれぞれを選択するためのユーザインターフェース制御装置であって、
配信するコンテンツデータの仕様であるメタ情報を記憶する記憶手段と、
ネットワークを介して通信先の情報を取得する通信先情報取得手段と、
前記記憶手段に記憶されたコンテンツのメタ情報と前記通信先情報取得手段が取得した通信先の情報に基づいて、各コンテンツと通信先に対応する関連情報を生成する情報制御手段と、
前記記憶手段に記憶されたコンテンツデータとそのメタ情報に基づいたコンテンツ項目と、前記通信先情報取得手段が取得した通信先の情報に基づいた通信先項目とを、それぞれ縦軸と横軸のいずれかに設定し、各項目が交差する要素に前記関連情報をマトリックス状に配する一覧表を生成するテーブル生成手段と、
前記一覧表を表示装置に表示させる表示制御手段と、
を備えたことを特徴とするユーザインターフェース制御装置。
【請求項２】
前記通信先情報取得手段は、通信先の機器の再生能力の情報を取得し、
前記情報制御手段は、前記記憶手段から取得したコンテンツの再生条件を取得し、前記通信先情報取得手段が取得した再生能力情報と比較してコンテンツ配信可否を判定し、
前記テーブル生成手段は、その判定結果を要素として作成することを特徴とする請求項１に記載のユーザインターフェース制御装置。
【請求項３】
前記記憶手段に格納されているコンテンツデータからインデックス画像を生成するインデックス生成手段を備え、
前記通信先情報取得手段は、通信先機器の試聴履歴を取得し、
前記テーブル生成手段は、前記関連情報をインデックス画像とすることを特徴とする請求項１又は２に記載のユーザインターフェース制御装置。
【請求項４】
前記通信先情報取得手段は、通信先の機器を使用する通信相手の情報を取得し、
前記テーブル生成手段は、通信先項目を前記通話相手とすることを特徴とする請求項１、２又は３に記載のユーザインターフェース制御装置。
【請求項５】
前記通話相手の項目が選択された場合、選択された前記通話相手と通話可能とすることを特徴とする請求項４に記載のユーザインターフェース制御装置。
【請求項６】
コンテンツの項目が選択された場合に、選択されたコンテンツを視聴可能とすることを特徴とする請求項１乃至５のいずれかに記載のユーザインターフェース制御装置。
【請求項７】
前記記憶手段は、コンテンツデータも記憶することを特徴とする請求項１乃至６のいずれかに記載のユーザインターフェース制御装置。
【請求項８】
前記テーブル生成手段は、
一方の項目を画面上端もしくは画面下端に配置して項目を横に配列した横バーを設け、
横バーには、項目をスクロールするスクロールボタンを配置することを特徴とする請求項１乃至７のいずれかに記載のユーザインターフェース制御装置。
【請求項９】
前記テーブル生成手段は、
一方の項目を画面左端もしくは画面右端に配置して項目を縦に配列し縦バーを設け、
縦バーには、項目をスクロールするスクロールボタンを配置することを特徴とする請求項１乃至８のいずれかに記載のユーザインターフェース制御装置。
【請求項１０】
前記テーブル生成手段は、
全要素を選択するボタンを一覧表内に設けたことを特徴とする請求項１乃至９のいずれかに記載のユーザインターフェース制御装置。
【請求項１１】
前記テーブル生成手段は、
ユーザが操作キーにより要素選択をする場合に、前記要素のマトリックス配置と前記操作キーの配列を同じにすることを特徴とする請求項１乃至１０のいずれかに記載のユーザインターフェース制御装置。
【請求項１２】
前記関連情報の内容を前記操作キーの点灯、非点灯で識別できるようにしたことを特徴とする請求項１１に記載のユーザインターフェース制御装置。
【請求項１３】
前記テーブル生成手段は、
前記関連情報の内容毎に色分けすることを特徴とする請求項１乃至１２のいずれかに記載のユーザインターフェース制御装置。
【手続補正２】
【補正対象書類名】明細書
【補正対象項目名】００３０
【補正方法】変更
【補正の内容】
【００３０】
なお、最初はｎ＝１、ｍ＝１から始まるが、その後は、通信先の番号をｍ、コンテンツの番号をｎとして、通信先−コンテンツ対応テーブル生成部４６は、番号ｎのコンテンツのメタ情報をメタ情報記憶部４４から取得する（ステップＳ２）。次に、番号ｍの通信先（機器）のコンテンツ再生能力を通信先情報取得部４５が通信先から取得して通信先−コンテンツ対応テーブル生成部４６に送る（ステップＳ３）。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
入射光をその光量に応じて電気信号に変換する光電変換部と、
前記光電変換部に入射光を導くための金属酸化物で形成された光導波路と、
前記光導波路と前記光電変換部との間に配設された、透光特性を有する分離層と、
前記光導波路の周囲に配設された層間絶縁膜とを有し、
前記分離層は、前記光導波路を構成する金属酸化物が、前記光電変換部に拡散するのを防ぐと共に、前記光電変換部の感度が相対的に低い波長領域の光の反射を防止する厚さを有し、前記層間絶縁膜よりも高い屈折率の素材により形成され、前記光導波路に引き続く光導波路を構成することを特徴とする固体撮像素子。
【請求項２】
前記金属酸化物は、チタニウム酸化物、ニオブ酸化物、タンタル酸化物を含むことを特徴とする請求項１に記載の固体撮像素子。
【請求項３】
前記分離層の厚さは、約3000Åから約7000Åの間であることを特徴とする請求項１または２に記載の固体撮像素子。
【請求項４】
前記分離層は、シリコン窒化物で形成されていることを特徴とする請求項１に記載の固体撮像素子。
【請求項５】
前記分離層は、シリコン酸化物で形成されていることを特徴とする請求項１に記載の固体撮像素子。
【請求項６】
入射光をその光量に応じて電気信号に変換する光電変換部と、
前記光電変換部に入射光を導くための金属酸化物で形成された光導波路と、
前記光導波路と前記光電変換部との間に配設された、透光特性を有する分離層と、
前記光導波路の周囲に配設された層間絶縁膜とを有し、
前記分離層は、前記光導波路を構成する金属酸化物が、前記光電変換部に拡散するのを防ぐと共に、前記光電変換部の感度が相対的に低い波長領域の光の反射を防止する厚さを有し、前記層間絶縁膜と同じ素材で形成され、前記光導波路に引き続く光導波路を構成することを特徴とする固体撮像素子。
【手続補正２】
【補正対象書類名】明細書
【補正対象項目名】００１１
【補正方法】変更
【補正の内容】
【００１１】
上記目的を達成するために、本発明の個体撮像素子は、入射光をその光量に応じて電気信号に変換する光電変換部と、前記光電変換部に入射光を導くための金属酸化物で形成された光導波路と、前記光導波路と前記光電変換部との間に配設された、透光特性を有する分離層と、
前記光導波路の周囲に配設された層間絶縁膜とを有し、
前記分離層は、前記光導波路を構成する金属酸化物が、前記光電変換部に拡散するのを防ぐと共に、前記光電変換部の感度が相対的に低い波長領域の光の反射を防止する厚さを有し、前記層間絶縁膜よりも高い屈折率の素材により形成され、前記光導波路に引き続く光導波路を構成する。
また、本発明の別の構成によれば、本発明の個体撮像素子は、入射光をその光量に応じて電気信号に変換する光電変換部と、前記光電変換部に入射光を導くための金属酸化物で形成された光導波路と、前記光導波路と前記光電変換部との間に配設された、透光特性を有する分離層と、前記光導波路の周囲に配設された層間絶縁膜とを有し、前記分離層は、前記光導波路を構成する金属酸化物が、前記光電変換部に拡散するのを防ぐと共に、前記光電変換部の感度が相対的に低い波長領域の光の反射を防止する厚さを有し、前記層間絶縁膜と同じ素材で形成され、前記光導波路に引き続く光導波路を構成する。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
コネクタの部材と噛合する端部であって、当該端部が前記部材と噛合する際に前記コネクタ上の端子群と揃うように構成された半円形の凹部群を有する端部と、
前記端部が前記部材と噛合する際に前記端部とは異なる位置で前記端子群と電気的に接続するように構成された配線群とを具備し、
前記凹部群の各々は前記端子群の中の互いに隣接する端子の間に配置されることを特徴とするプリント配線板。
【請求項２】
前記凹部群は、ドリル加工された部分を有することを特徴とする請求項１記載のプリント配線板。
【請求項３】
前記配線群の位置は、凹部群の位置を基準にして決定されていることを特徴とする請求項１記載のプリント配線板。
【請求項４】
前記プリント配線板は、フレキシブルプリント配線板であることを特徴とする請求項１記載のプリント配線板。
【請求項５】
前記プリント配線板は、リジッドプリント配線板であることを特徴とする請求項１記載のプリント配線板。
【請求項６】
プリント配線板の端部と噛合する部材であって、当該部材が前記端部と噛合する際に前記プリント配線板上の配線群と揃うように構成された半円形の凸部群を有する部材と、
前記部材が前記端部と噛合する際に前記部材とは異なる位置で前記配線群と電気的に接続するように構成された端子群とを具備し、
前記凸部群の各々は前記端子群の中の互いに隣接する端子の間に配置されることを特徴とするコネクタ。
【請求項７】
前記部材の少なくとも一部は、モールド形成された凸部群を有することを特徴とする請求項６記載のコネクタ。
【請求項８】
前記端子群の位置は、前記凸部群の位置を基準にして決定されていることを特徴とする請求項６記載のコネクタ。
【請求項９】
プリント配線板の端部に半円形の凹部群を形成し、
前記凹部群のうちの少なくともいくつかの凹部群の位置に対応するように前記プリント配線板上に配線群を形成し、
コネクタの部材に半円形の凸部群を形成し、
前記配線群の各々の位置に対応する間隔で前記コネクタ上に端子群を形成し、
前記凸部群と前記凹部群とは、前記端子群が前記配線群に噛合する位置とは異なる位置で噛合し、
前記端部が前記部材と噛合する際に前記凹部群の各々は前記端子群の中の互いに隣接する端子の間に配置され、
前記凸部群の各々は前記端子群の中の互いに隣接する端子の間に配置されることを特徴とするプリント配線板接続実現方法。
【請求項１０】
前記凹部群は、ドリル加工により形成されることを特徴とする請求項９記載のプリント配線板接続実現方法。
【請求項１１】
前記凸部群は、モールド形成されることを特徴とする請求項９記載のプリント配線板接続実現方法。
【手続補正２】
【補正対象書類名】明細書
【補正対象項目名】発明の名称
【補正方法】変更
【補正の内容】
【発明の名称】プリント配線板、コネクタ、およびプリント配線板接続実現方法
【手続補正３】
【補正対象書類名】明細書
【補正対象項目名】０００１
【補正方法】変更
【補正の内容】
【０００１】
本発明は、例えばフレキシブルプリント配線板やリジッドプリント配線板などのプリント配線板、このプリント配線板を装着可能なコネクタ、及びこれらプリント配線板とコネクタとの接続を実現するプリント配線板接続実現方法に関する。
【手続補正４】
【補正対象書類名】明細書
【補正対象項目名】０００７
【補正方法】変更
【補正の内容】
【０００７】
本発明は上記実情に鑑みてなされたものであり、高精度な位置合わせを実現して接触不良を防止するプリント配線板、コネクタ、およびプリント配線板接続実現方法を提供することを目的とする。
【手続補正５】
【補正対象書類名】明細書
【補正対象項目名】０００８
【補正方法】変更
【補正の内容】
【０００８】
本発明に係るプリント配線板は、コネクタの部材と噛合する端部であって、当該端部が前記部材と噛合する際に前記コネクタ上の端子群と揃うように構成された半円形の凹部群を有する端部と、前記端部が前記部材と噛合する際に前記端部とは異なる位置で前記端子群と電気的に接続するように構成された配線群とを具備し、前記凹部群の各々は前記端子群の中の互いに隣接する端子の間に配置されることを特徴とする。
【手続補正６】
【補正対象書類名】明細書
【補正対象項目名】０００９
【補正方法】変更
【補正の内容】
【０００９】
本発明に係るコネクタは、プリント配線板の端部と噛合する部材であって、当該部材が前記端部と噛合する際に前記プリント配線板上の配線群と揃うように構成された半円形の凸部群を有する部材と、前記部材が前記端部と噛合する際に前記部材とは異なる位置で前記配線群と電気的に接続するように構成された端子群とを具備し、前記凸部群の各々は前記端子群の中の互いに隣接する端子の間に配置されることを特徴とする。
【手続補正７】
【補正対象書類名】明細書
【補正対象項目名】００１０
【補正方法】変更
【補正の内容】
【００１０】
本発明に係るプリント配線板接続実現方法は、プリント配線板の端部に半円形の凹部群を形成し、前記凹部群のうちの少なくともいくつかの凹部群の位置に対応するように前記プリント配線板上に配線群を形成し、コネクタの部材に半円形の凸部群を形成し、前記配線群の各々の位置に対応する間隔で前記コネクタ上に端子群を形成し、前記凸部群と前記凹部群とは、前記端子群が前記配線群に噛合する位置とは異なる位置で噛合し、前記端部が前記部材と噛合する際に前記凹部群の各々は前記端子群の中の互いに隣接する端子の間に配置され、前記凸部群の各々は前記端子群の中の互いに隣接する端子の間に配置されることを特徴とする。
【手続補正書】
【提出日】平成20年6月13日(2008.6.13)
【手続補正１】
【補正対象書類名】手続補正書
【補正対象項目名】手続補正４
【補正方法】変更
【補正の内容】
【手続補正４】
【補正対象書類名】明細書
【補正対象項目名】００３４
【補正方法】変更
【補正の内容】
【００３４】
液体保持部１００は、ウェハ４０との面を同一面にするための板であり、図２（ｂ）に示すように、ウェハ４０と略同一な高さである。ここで、図２は、露光装置１の部分拡大図であり、図２（ａ）は、液体保持部１００の平面図であり、図２（ｂ）は、液体保持部１００の線ＡＡ´での断面図である。液体保持部１００は、エッジＥＳ位置での露光時に液体ＬＷがウェハ４０周囲に流れないようにする機能を有する。この場合、ウェハ４０を液体保持部１００と共に移動させながら露光するときの液体の残存をなくす必要がある。そのために、液体保持部１００に使用される材料は、接触角の高いセラミックス、例えばＳｉ，ＳｉＣ，ＳｉＮ，Ａｌ２Ｏ３，ＳｉＯ２などが好ましい。これらの材料は、図４に示すように、照射前の接触角が３０°以上である。接触角が３０°以上の材料であれば、液体ＬＷが液体保持部１００に留まらない程度の精度を維持することが出来る。また、図５に示すように、有機系材料であると、照射前の接触角が８０°以上である。そのため、より好ましくは接触角が７０°以上である。ここで、図４及び図５は、各材料の接触角を示す表である。
【手続補正書】
【提出日】平成20年5月7日(2008.5.7)
【手続補正１】
【補正対象書類名】特許請求の範囲
【補正対象項目名】請求項１
【補正方法】変更
【補正の内容】
【請求項１】
音データが付随した画像データの記録再生装置であって、
音データから所定の音又は音声信号を抽出する抽出手段と、
単位時間あたりの情報量を増加させた前記所定の音又は音声信号を画像データに関連付けて記録する記録手段とを具備することを特徴とする記録再生装置。
【手続補正２】
【補正対象書類名】特許請求の範囲
【補正対象項目名】請求項１３
【補正方法】変更
【補正の内容】
【請求項１３】
音データが付随した画像データの記録再生方法であって、
音データから所定の音又は音声信号を抽出する抽出工程と、
単位時間あたりの情報量を増加させた前記所定の音又は音声信号を画像データに関連付けて記録する記録工程とを備えることを特徴とする方法。
【手続補正３】
【補正対象書類名】明細書
【補正対象項目名】００１４
【補正方法】変更
【補正の内容】
【００１４】
上記課題を解決し、目的を達成するために、本発明の記録再生装置は、音データが付随した画像データの記録再生装置であって、音データから所定の音又は音声信号を抽出する抽出手段と、単位時間あたりの情報量を増加させた前記所定の音又は音声信号を画像データに関連付けて記録する記録手段とを具備する。
【手続補正４】
【補正対象書類名】明細書
【補正対象項目名】００１５
【補正方法】変更
【補正の内容】
【００１５】
また、本発明の記録再生方法は、音データが付随した画像データの記録再生方法であって、音データから所定の音又は音声信号を抽出する抽出工程と、単位時間あたりの情報量を増加させた前記所定の音又は音声信号を画像データに関連付けて記録する記録工程とを備える。
【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
解像度或いは／および画質について階層構造の符号化画像データファイルを処理する画像処理装置であって、
所定の階層位置までの符号化データを復号対象として処理する処理手段と、
前記符号化画像データファイルを入力し、当該符号化画像データファイルを、前記処理手段での復号処理用のデータ構造に変換するファイル変換手段とを備え、
当該ファイル変換手段は、
前記符号化画像データファイルから、前記処理手段での復号対象となる符号化データのみで構成され、且つ、前記処理手段で復号する順に並べた第１のデータ構造部分と、
前記処理手段で非復号対象の符号化データで構成される第２のデータ構造部分と、
前記第１データ構造部分に前記第２のデータ構造部分を含めた復号順序を記述した第３のデータ構造部分と
で構成されるファイルに変換することを特徴とする画像処理装置。
【請求項２】
更に、前記処理手段で復号する対象となる階層位置を設定する設定手段を備えることを特徴とする請求項１に記載の画像処理装置。
【請求項３】
前記処理手段は、画像ファイルの一覧を表示するための復号処理であることを特徴とする請求項１又は２に記載の画像処理装置。
【請求項４】
変換元の符号化画像データファイルは、ＪＰＥＧ２０００による符号化データファイルであることを特徴とする請求項１乃至３のいずれか１項に記載の画像処理装置。
【請求項５】
解像度或いは／および画質について階層構造の符号化画像データファイルを処理する画像処理装置の制御方法であって、
所定の階層位置までの符号化データを復号対象として処理する処理工程と、
前記符号化画像データファイルを入力し、当該符号化画像データファイルを、前記処理工程での復号処理用のデータ構造に変換するファイル変換工程とを有し、
当該ファイル変換工程は、
前記符号化画像データファイルから、前記処理手段での復号対象となる符号化データのみで構成され、且つ、前記処理手段で復号する順に並べた第１のデータ構造部分と、
前記処理手段で非復号対象の符号化データで構成される第２のデータ構造部分と、
前記第１データ構造部分に前記第２のデータ構造部分を含めた復号順序を記述した第３のデータ構造部分と
で構成されるファイルに変換することを特徴とする画像処理装置の制御方法。
【請求項６】
コンピュータが読込み実行することで、前記コンピュータを、解像度或いは／および画質について階層構造の符号化画像データファイルを処理する画像処理装置として機能させるコンピュータプログラムであって、
所定の階層位置までの符号化データを復号対象として処理する処理手段と、
前記符号化画像データファイルを入力し、当該符号化画像データファイルを、前記処理手段での復号処理用のデータ構造に変換するファイル変換手段として機能させ、
前記ファイル変換手段は、
前記符号化画像データファイルから、前記処理手段での復号対象となる符号化データのみで構成され、且つ、前記処理手段で復号する順に並べた第１のデータ構造部分と、
前記処理手段で非復号対象の符号化データで構成される第２のデータ構造部分と、
前記第１データ構造部分に前記第２のデータ構造部分を含めた復号順序を記述した第３のデータ構造部分と
で構成されるファイルに変換することを特徴とするコンピュータプログラム。
【請求項７】
請求項６に記載のコンピュータプログラムを格納したことを特徴とするコンピュータ可読記憶媒体。
【手続補正２】
【補正対象書類名】明細書
【補正対象項目名】００１５
【補正方法】変更
【補正の内容】
【００１５】
この課題を解決するため、例えば本発明の画像処理装置は以下の構成を備える。すなわち、
解像度或いは／および画質について階層構造の符号化画像データファイルを処理する画像処理装置であって、
所定の階層位置までの符号化データを復号対象として処理する処理手段と、
前記符号化画像データファイルを入力し、当該符号化画像データファイルを、前記処理手段での復号処理用のデータ構造に変換するファイル変換手段とを備え、
当該ファイル変換手段は、
前記符号化画像データファイルから、前記処理手段での復号対象となる符号化データのみで構成され、且つ、前記処理手段で復号する順に並べた第１のデータ構造部分と、
前記処理手段で非復号対象の符号化データで構成される第２のデータ構造部分と、
前記第１データ構造部分に前記第２のデータ構造部分を含めた復号順序を記述した第３のデータ構造部分と
で構成されるファイルに変換することを特徴とする。
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御すべき第２プリアンブル、データを配置するパケット信号のうち、少なくとも第１制御信号とデータに対して、一部のサブキャリアに既知信号を挿入する挿入部と、
前記挿入部によって既知信号が挿入された第１制御信号とデータを含めることによって、パケット信号を生成する生成部とを備え、
前記挿入部は、第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入することを特徴とする送信装置。
【請求項２】
前記生成部によって生成されるパケット信号のうち、第２プリアンブル、データにて使用されるサブキャリアの数は、第１プリアンブル、第１制御信号、第２制御信号にて使用されるサブキャリアの数よりも大きくなるように規定されており、
前記挿入部は、第２制御信号のうちの非既知信号に対応したサブキャリアの数が、データのうちの非既知信号に対応したサブキャリアの数と等しくなるように、データのうちの一部のサブキャリアに既知信号を挿入することを特徴とする請求項１に記載の送信装置。
【請求項３】
前記第１制御信号のうち、非既知信号に対してインターリーブを実行するインターリーブ部とをさらに備え、
前記インターリーブ部は、第２制御信号での非既知信号のうち、第１制御信号での非既知信号に対応した部分に対して、インターリーブを実行し、かつ第２制御信号での非既知信号のうち、第１制御信号での非既知信号に対応していない部分に対して、第１制御信号のうちの既知信号に対応すべきサブキャリアへの配置を実行することを特徴とする請求項１に記載の送信装置。
【請求項４】
前記データのうち、非既知信号に対してインターリーブを実行するインターリーブ部とをさらに備え、
前記インターリーブ部は、第２制御信号での非既知信号に対して、インターリーブを実行することを特徴とする請求項２に記載の送信装置。
【請求項５】
前記生成部は、パケット信号を生成する際に、第２制御信号を複数のシンボルに配置し、  前記挿入部は、第２制御信号のうちの非既知信号として、複数のシンボルに配置された第２制御信号のうち、少なくとも後部のシンボルのうちの非既知信号を処理の対象にすることを特徴とする請求項１または２に記載の送信装置。
【請求項６】
前記生成部は、パケット信号を生成する際に、第２制御信号を複数のシンボルに配置し、  前記インターリーブ部は、第２制御信号での非既知信号として、複数のシンボルに配置された第２制御信号のうち、少なくとも後部のシンボルでの非既知信号を処理の対象にすることを特徴とする請求項３または４に記載の送信装置。
【請求項７】
前記挿入部は、複数のシンボルに配置された第２制御信号のうち、前部のシンボルにおいて、第１制御信号に挿入すべき既知信号と異なった既知信号を挿入することを特徴とする請求項５または６のいずれかに記載の送信装置。
【請求項８】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御すべき第２プリアンブル、データを配置するパケット信号のうち、少なくとも第１制御信号とデータに対して、一部のサブキャリアに既知信号を挿入することによって、パケット信号を生成する送信方法であって、
複数のシンボルに配置された第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入することを特徴とする送信方法。
【手続補正２】
【補正対象書類名】明細書
【補正対象項目名】発明の名称
【補正方法】変更
【補正の内容】
【発明の名称】送信装置および送信方法
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
再生中の映像から静止画を取得して記録媒体に記録可能な映像処理装置であって、
前記記録媒体に記録されたプログレッシブ映像を、トップフィールドとボトムフィールドにプルダウン変換してインターレース映像として再生する再生手段と、
前記プルダウン変換時に挿入された重複フィールドを検出する検出手段と、
再生される前記インターレース映像のトップフィールドとボトムフィールドを格納するフレームメモリ領域を有する記憶手段と、
前記検出手段による検出結果に基づいて、前記プルダウン変換前の同一のフレームに属するトップフィールドとボトムフィールドが前記フレームメモリ領域に存在するときに静止画の取り込みを行う画像取り込み手段とを具備することを特徴とする映像処理装置。
【請求項２】
前記記録媒体には、ＭＰＥＧ方式により符号化されたプログレッシブ映像が記録されており、
前記検出手段は、符号化された前記プログレッシブ映像の繰り返し出力されるフィールドを重複フィールドとして検出することを特徴とする請求項１に記載の映像処理装置。
【請求項３】
前記記憶手段は、前記画像取り込み手段が前記フレームメモリ領域から静止画を取り込む期間、再生される前記プログレッシブ映像のトップフィールドとボトムフィールドを格納する第２のフレームメモリ領域を有することを特徴とする請求項１に記載の映像処理装置。
【請求項４】
前記記憶手段は、第２のフレームメモリ領域を有し、再生される前記プログレッシブ映像に含まれるフィールドの中から前記画像取り込み手段が取り込むトップフィールドとボトムフィールドを当該第２のフレームメモリ領域に格納することを特徴とする請求項１に記載の映像処理装置。
【請求項５】
再生中の映像から静止画を取得して記録媒体に記録する映像処理方法であって、
前記記録媒体に記録されたプログレッシブ映像を、トップフィールドとボトムフィールドにプルダウン変換してインターレース映像として再生する再生工程と、
前記プルダウン変換時に挿入された重複フィールドを検出する検出工程と、
再生される前記インターレース映像のトップフィールドとボトムフィールドをフレームメモリ領域に格納する記憶工程と、
前記検出工程による検出結果に基づいて、前記プルダウン変換前の同一のフレームに属するトップフィールドとボトムフィールドが前記フレームメモリ領域に存在するときに静止画の取り込みを行う画像取り込み工程とを備えることを特徴とする映像処理方法。
【請求項６】
前記記録媒体には、ＭＰＥＧ方式により符号化されたプログレッシブ映像が記録されており、
前記検出工程では、符号化された前記プログレッシブ映像の繰り返し出力されるフィールドを重複フィールドとして検出することを特徴とする請求項５に記載の映像処理方法。
【請求項７】
前記記憶工程では、前記画像取り込み工程で前記フレームメモリ領域から静止画を取り込む期間、再生される前記プログレッシブ映像のトップフィールドとボトムフィールドを第２のフレームメモリ領域に格納することを特徴とする請求項５に記載の映像処理方法。
【請求項８】
前記記憶工程では、再生される前記プログレッシブ映像に含まれるフィールドの中から前記画像取り込み工程で取り込むトップフィールドとボトムフィールドを第２のフレームメモリ領域に格納することを特徴とする請求項５に記載の映像処理方法。
【手続補正２】
【補正対象書類名】明細書
【補正対象項目名】０００６
【補正方法】変更
【補正の内容】
【０００６】
本発明は、上記課題を解決するためになされたもので、その目的は、再生された映像から静止画を取り込むための処理負荷を軽減する映像処理技術を提供することである。
【手続補正３】
【補正対象書類名】明細書
【補正対象項目名】０００７
【補正方法】変更
【補正の内容】
【０００７】
上述の課題を解決し、目的を達成するために、本発明の映像処理装置は、再生中の映像から静止画を取得して記録媒体に記録可能な映像処理装置であって、前記記録媒体に記録されたプログレッシブ映像を、トップフィールドとボトムフィールドにプルダウン変換してインターレース映像として再生する再生手段と、前記プルダウン変換時に挿入された重複フィールドを検出する検出手段と、再生される前記インターレース映像のトップフィールドとボトムフィールドを格納するフレームメモリ領域を有する記憶手段と、前記検出手段による検出結果に基づいて、前記プルダウン変換前の同一のフレームに属するトップフィールドとボトムフィールドが前記フレームメモリ領域に存在するときに静止画の取り込みを行う画像取り込み手段とを具備する。
【手続補正４】
【補正対象書類名】明細書
【補正対象項目名】０００８
【補正方法】変更
【補正の内容】
【０００８】
また、本発明の映像処理方法は、再生中の映像から静止画を取得して記録媒体に記録する映像処理方法であって、前記記録媒体に記録されたプログレッシブ映像を、トップフィールドとボトムフィールドにプルダウン変換してインターレース映像として再生する再生工程と、前記プルダウン変換時に挿入された重複フィールドを検出する検出工程と、再生される前記インターレース映像のトップフィールドとボトムフィールドをフレームメモリ領域に格納する記憶工程と、前記検出工程による検出結果に基づいて、前記プルダウン変換前の同一のフレームに属するトップフィールドとボトムフィールドが前記フレームメモリ領域に存在するときに静止画の取り込みを行う画像取り込み工程とを備える。
【手続補正５】
【補正対象書類名】明細書
【補正対象項目名】００４２
【補正方法】変更
【補正の内容】
【００４２】
ここで図８は、秒間60フィールドで撮影されたインターレース映像が、出力信号処理部121から出力されている場合に、上記ステップS504でフィールド内補間による静止画取り込みを行う前後のRAM114の状態を表している。即ち、RAM114に画像処理されたフィールドFeが格納されて（1106）から、画像処理されたフィールドGoが格納される（1107）までの間に、キー操作処理部105から静止画の取り込みが指示された場合に、入力信号処理部111はトップ・フィールドGoからフィールド内補間によってボトム・フィールドGeを得てフレーム・メモリ領域に格納する（1108）。それと同時に、RAM114に第２のフレーム・メモリ領域を用意して、出力信号処理部121より出力され画像処理を行ったフィールドHeを格納する。フィールド内補間により得られたフレームG（トップ・フィールドGoとボトム・フィールドGeの合成フレーム）をJPEG符号化／復号化部113が読み込み、符号JpegとしてRAM114の異なる領域に格納する（1109〜1112）。この間、出力信号処理部121より出力され画像処理されたフィールド（Io〜Le）は、第２のフレーム・メモリ領域に格納され、出力信号処理部121に出力される。上記符号化が終了すると、第２のフレーム・メモリは解放され、画像処理されたフィールドを格納するフレーム・メモリ領域は元の位置に戻り、符号Jpegはカードに記録される間（1113〜1115）RAM114上に保持される。